(57)【要約】【課題】  この発明は、簡易且つ迅速な作業で確実にコネクタの嵌合及ぶ分離ができるコネクタの挿抜構造を提供する。【解決手段】  コネクタの挿抜構造は、第１のプリント基板１０１のレセプタクル側コネクタ１２の配設位置近傍の少なくとも二箇所に配設されるネジ２１が形成されるスペーサ２と、第２のプリント基板１０２のネジ体用貫通孔３近傍の少なくとも二箇所に配設されるネジアタッチメント用貫通孔４と、ネジ５１に平座金５２が支持され、ネジ体用貫通孔３を介して、スペーサ２のネジ２１に螺合するネジ体５と、ネジ体５の頭部５１ａ及び平座金５２間に遊嵌される基部６１、基部６１からネジ体５の軸方向に延在されネジアタッチメント用貫通孔４の幅より狭い厚みである延在部６２、並びに延在部６２から基部６１に略平行に突出する突出部６３を有し、ＢＧＡコネクタ１の嵌合状態で延在部６２の一部がネジアタッチメント用貫通孔４に挿設されるネジアタッチメント６とを備えるものである。【選択図】        図３
2009193918.tif 000002
【特許請求の範囲】
【請求項１】
一対のプラグ及びレセプタクルからなるコネクタと、
前記プラグ側コネクタ又はレセプタクル側コネクタがそれぞれ実装され、前記プラグ側コネクタ及びレセプタクル側コネクタの嵌合状態で対向する一対のプリント基板と、
前記一対のプリント基板のうち一のプリント基板における、前記プラグ側コネクタ又はレセプタクル側コネクタの配設位置近傍の少なくとも二箇所に柱状体が突出して配設され、当該柱状体にネジが形成されるスペーサと、
前記一対のプリント基板のうち他のプリント基板における、前記スペーサに対応する位置に配設されるネジ体用貫通孔と、
前記他のプリント基板における、前記各ネジ体用貫通孔近傍の少なくとも二箇所に配設されるネジアタッチメント用貫通孔と、
ネジに平座金が支持される座金組込ネジであり、前記ネジ体用貫通孔を介して、前記スペーサのネジに螺合するネジ体と、
前記ネジ体の頭部及び平座金間に遊嵌される基部、当該基部から前記ネジ体の軸方向に延在され前記ネジアタッチメント用貫通孔の幅より狭い厚みである延在部、並びに当該延在部から前記基部に略平行に突出する突出部を有し、前記プラグ側コネクタ及びレセプタクル側コネクタの嵌合状態で当該延在部の一部が前記ネジアタッチメント用貫通孔に挿設されるネジアタッチメントと、
を備えることを特徴とするコネクタの挿抜構造。
【請求項２】
前記請求項１に記載のコネクタの挿抜構造において、
前記ネジアタッチメントの基部が、板状体であり、前記ネジ体の頭部及び平座金間における首下部を当該板状体の一辺から略中央に挿入するための切欠部を有し、
前記切欠部が、前記板状体の一辺側に配設され前記首下部の直径以上の幅である挿入部、前記板状体の略中央にある前記首下部の直径以上の幅であり前記平座金の直径より幅が狭い支持部、並びに当該挿入部及び支持部の境界部分であり前記首下部の直径より幅が狭い狭小部、からなることを特徴とするコネクタの挿抜構造。
【請求項３】
前記請求項１又は２に記載のコネクタの挿抜構造において、
前記ネジ体が、頭部及び平座金間にバネ座金を有し、
前記ネジアタッチメントの基部が、前記バネ座金と頭部又は平座金との間に挟持されることを特徴とするコネクタの挿抜構造。
【請求項４】
前記請求項２に記載のコネクタの挿抜構造において、
前記ネジアタッチメントが、弾性部材からなり、
前記ネジアタッチメントの延在部が、前記基部の対向する二辺に配設され、当該対向する延在部における相互に逆方向に作用する弾性力により、前記ネジアタッチメント用貫通孔の内面に当接することで、前記ネジアタッチメント及びネジ体が、前記他のプリント基板に係止されることを特徴とするコネクタの挿抜構造。
【請求項５】
前記請求項２に記載のコネクタの挿抜構造において、
前記ネジアタッチメントが、弾性部材からなり、
前記ネジアタッチメントの延在部が、前記基部の対向する二辺に配設され、前記対向する突起部における相互に逆方向に作用する弾性力により、前記突出部の先端が、前記他のプリント基板の裏面に係合することで、前記ネジアタッチメント及びネジ体が、前記他のプリント基板に係止されることを特徴とするコネクタの挿抜構造。
【請求項６】
前記請求項１乃至５のいずれかに記載のコネクタの挿抜構造において、
前記複数のネジ体が、一のネジ体を前記スペーサから離反するように操作される場合に、他のネジ体に支持される前記他のプリント基板の傾斜角度が１０度以内で前記一のプリント基板からの離反を保持することを特徴とするコネクタの挿抜構造。
【発明の詳細な説明】
【技術分野】
【０００１】
この発明は、通信装置内のシェルフに積層状態で搭載される複数のプリント基板間を接続するコネクタの挿抜構造に関し、特に、ＢＧＡ（Ball grid arry）コネクタなどの接続ピンの配置が高密度なコネクタの挿抜操作を改善するコネクタの挿抜構造に関するものである。
【背景技術】
【０００２】
複数の回路部品が搭載されるプリント基板においては、通常、単一のプリント基板で所望の回路構成を実現させることが、電気的且つコスト的には望ましいが、単一のプリント基板に回路部品を搭載できる面積には限界がある。
【０００３】
これに対し、従来の電気接続装置は、第２のプリント板のコネクタに近接してコネクタの両側に位置決め精度の高い位置決め孔と、第２のプリント板のコネクタから離間してコネクタの両側に形成されかつ位置決め孔よりも位置決め精度の低い粗位置決め孔とを設ける。また、第１のプリント板を収納するケース側には、第２のプリント板が組み付けられる際に最初に粗位置決め孔に挿入される高さに寸法設定して形成された案内ピンと、その後位置決め孔に挿入される高さに寸法設定して形成された位置決めピンとを設ける。すなわち、多機能且つ多部品をプリント基板に具備させるために、複数のプリント基板を用いて、複数のプリント基板間をコネクタで接続し、スタック構造にて実現している（例えば、特許文献１）。
【０００４】
また、従来のコネクタの挿抜機構は、２つの基板に各々配設される基板側コネクタに係合する接続コネクタを支持枠にて支持し、コネクタ押圧板を螺子にて固定する。また、基板側コネクタの配設位置近傍の二ヶ所に突出する六角ボルトに雌螺子を設け、この雌螺子に螺合する螺合操作螺子にて、接続コネクタを基板側コネクタに対して接合・離反させるようにしているので、プリント基板間の狭い隙間であっても簡易且つ迅速な作業で確実に接続・分離ができると共に、コネクタの接触部分の損傷させることなく正確且つ確実な接続状態が可能となる。特に、係合する基板側コネクタ及び接続コネクタとして、ＢＧＡコネクタを使用している（例えば、特許文献２）。
【特許文献１】特開平８−２１３１０４号公報
【特許文献１】特開２００７−１７９８５３号公報
【発明の開示】
【発明が解決しようとする課題】
【０００５】
従来の電気接続装置は、ケースに収納された第１のプリント基板にコネクタを介して第２のプリント基板を接続し、第２のプリント基板もケースに収納されることになる。また、第２のプリント基板上にはコネクタ以外に突出した部分がなく、第２のプリント基板とケース又は第１のプリント基板とをネジにより螺着するものでもない。このため、第１のプリント基板に対して第２の基板を持ち上げるための手で把持する部分がなく、コネクタの嵌合保持力が強い場合には、第１のプリント基板と第２のプリント基板とを分離することができないという問題点があった。
【０００６】
また、従来のコネクタの挿抜機構は、フレキシブルケーブルを介して複数のプリント基板を接続するものであり、複数のプリント基板にそれぞれ実装されたコネクタを嵌合させて接続するスタック構造と比較して、部材点数が多い。例えば、２つのプリント基板を接続する場合であれば、フレキシブルケーブルの接続コネクタとプリント基板の基板側コネクタとを嵌合させる箇所が２箇所必要であり、作業効率が悪いという問題点があった。
【０００７】
この発明は、上述のような課題を解決するためになされたものであり、簡易且つ迅速な作業で確実にコネクタの嵌合及ぶ分離ができるコネクタの挿抜構造を提供することを目的とする。
【課題を解決するための手段】
【０００８】
この発明に係るコネクタの挿抜構造においては、一対のプラグ及びレセプタクルからなるコネクタと、前記プラグ側コネクタ又はレセプタクル側コネクタがそれぞれ実装され、前記プラグ側コネクタ及びレセプタクル側コネクタの嵌合状態で対向する一対のプリント基板と、前記一対のプリント基板のうち一のプリント基板における、前記プラグ側コネクタ又はレセプタクル側コネクタの配設位置近傍の少なくとも二箇所に柱状体が突出して配設され、当該柱状体にネジが形成されるスペーサと、前記一対のプリント基板のうち他のプリント基板における、前記スペーサに対応する位置に配設されるネジ体用貫通孔と、前記他のプリント基板における、前記各ネジ体用貫通孔近傍の少なくとも二箇所に配設されるネジアタッチメント用貫通孔と、ネジに平座金が支持される座金組込ネジであり、前記ネジ体用貫通孔を介して、前記スペーサのネジに螺合するネジ体と、前記ネジ体の頭部及び平座金間に遊嵌される基部、当該基部から前記ネジ体の軸方向に延在され前記ネジアタッチメント用貫通孔の幅より狭い厚みである延在部、並びに当該延在部から前記基部に略平行に突出する突出部を有し、前記プラグ側コネクタ及びレセプタクル側コネクタの嵌合状態で当該延在部の一部が前記ネジアタッチメント用貫通孔に挿設されるネジアタッチメントと、を備えるものである。
【発明の効果】
【０００９】
このコネクタの挿抜構造は、一対のプラグ及びレセプタクルからなるコネクタと、前記プラグ側コネクタ又はレセプタクル側コネクタがそれぞれ実装され、前記プラグ側コネクタ及びレセプタクル側コネクタの嵌合状態で対向する一対のプリント基板と、前記一対のプリント基板のうち一のプリント基板における、前記プラグ側コネクタ又はレセプタクル側コネクタの配設位置近傍の少なくとも二箇所に柱状体が突出して配設され、当該柱状体にネジが形成されるスペーサと、前記一対のプリント基板のうち他のプリント基板における、前記スペーサに対応する位置に配設されるネジ体用貫通孔と、前記他のプリント基板における、前記各ネジ体用貫通孔近傍の少なくとも二箇所に配設されるネジアタッチメント用貫通孔と、ネジに平座金が支持される座金組込ネジであり、前記ネジ体用貫通孔を介して、前記スペーサのネジに螺合するネジ体と、前記ネジ体の頭部及び平座金間に遊嵌される基部、当該基部から前記ネジ体の軸方向に延在され前記ネジアタッチメント用貫通孔の幅より狭い厚みである延在部、並びに当該延在部から前記基部に略平行に突出する突出部を有し、前記プラグ側コネクタ及びレセプタクル側コネクタの嵌合状態で当該延在部の一部が前記ネジアタッチメント用貫通孔に挿設されるネジアタッチメントと、を備えることにより、レセプタクル側コネクタからプラグ側コネクタを取り外す場合に、ネジ体の回動に連動して、突出部が他のプリント基板のコネクタが実装された面に当接され、一のプリント基板に対して他のプリント基板及びネジ体が一体に離反される。すなわち、レセプタクル側コネクタからプラグ側コネクタの分離を容易にできると共に、プリント基板に対するストレスを抑制し、プリント基板の破損やプリント基板とコネクタとの接合不良を防止することができるという効果を奏する。
【発明を実施するための最良の形態】
【００１０】
（本発明の第１の実施形態）
図１（ａ）は第１の実施形態に係るコネクタの挿抜構造の接続状態を示す平面図、図１（ｂ）は第１の実施形態に係るコネクタの挿抜構造の接続状態を示す正面図、図２（ａ）は第１の実施形態に係るコネクタの挿抜構造のネジ体による螺着前の状態を示す側面図、図２（ｂ）は第１の実施形態に係るコネクタの挿抜構造のネジ体による螺着後の状態を示す側面図、図３は図１に示すコネクタの挿抜構造の分解斜視図、図４（ａ）は図１に示すネジアタッチメントの斜視図、図４（ｂ）は図１に示すネジアタッチメントの平面図、図４（ｃ）は図１に示すネジアタッチメントの側面図、図４（ｄ）は図１に示すネジアタッチメントの正面図、図５（ａ）は座金組込みネジにネジアタッチメントを係合する前の状態を示す斜視図、図５（ｂ）は座金組込みネジにネジアタッチメントを係合した後の状態を示す斜視図、図６（ａ）は第１の実施形態に係るコネクタの挿抜構造の接続動作説明図、図６（ｂ）は第１の実施形態に係るコネクタの挿抜構造の分離動作説明図、図７はＢＧＡコネクタの角度条件を説明するための説明図、図８（ａ）はプラグ側コネクタにおけるレセプタクル側コネクタとの接触面を示した平面図、図８（ｂ）は図８（ａ）に示すプラグ側コネクタの正面図、図８（ｃ）は図８（ａ）に示すプラグ側コネクタの側面図、図９（ａ）はレセプタクル側コネクタにおけるプラグ側コネクタとの接触面を示した平面図、図９（ｂ）は図９（ａ）に示すレセプタクル側コネクタの正面図、図９（ｃ）は図９（ａ）に示すレセプタクル側コネクタの側面図である。
【００１１】
図１乃至図９において、第１の実施形態に係るコネクタの挿抜構造は、一対のプラグ側コネクタ１１及びレセプタクル側コネクタ１２からなるＢＧＡコネクタ1と、プラグ側コネクタ１１又はレセプタクル側コネクタ１２がそれぞれ実装され、プラグ側コネクタ１１及びレセプタクル側コネクタ１２の嵌合状態で対向する一対のプリント基板１００と、一対のプリント基板１００のうち一のプリント基板（以下、第１のプリント基板１０１と称す）における、プラグ側コネクタ１１又はレセプタクル側コネクタ１２の配設位置近傍の少なくとも二箇所に柱状体が突出して配設され、当該柱状体にネジ２１が形成されるスペーサ２と、一対のプリント基板１００のうち他のプリント基板（以下、第２のプリント基板１０２と称す）における、スペーサ２に対応する位置に配設されるネジ体用貫通孔３と、第２のプリント基板１０２における、各ネジ体用貫通孔３近傍の少なくとも二箇所に配設されるネジアタッチメント用貫通孔４と、ネジ５１に平座金５２が支持される座金組込ネジであり、ネジ体用貫通孔３を介して、スペーサ２のネジ２１に螺合するネジ体５と、ネジ体５の頭部５１ａ及び平座金５２間に遊嵌される基部６１、基部６１からネジ体５の軸方向に延在する延在部６２、並びに延在部６２から基部６１に略平行に突出する突出部６３を有し、プラグ側コネクタ１１及びレセプタクル側コネクタ１２の嵌合状態で延在部６２の一部がネジアタッチメント用貫通孔４に挿設されるネジアタッチメント６とを備える構成である。
【００１２】
なお、第１の実施形態に係るコネクタの挿抜構造においては、第１のプリント基板１０１にレセプタクル側コネクタ１２が実装され、第２のプリント基板１０２にプラグ側コネクタ１１が実装された場合について説明するが、プリント基板１００に対するＢＧＡコネクタ１の実装関係が逆であってもよい。
【００１３】
また、第１の実施形態に係るコネクタの挿抜構造においては、ネジ体５のネジ５１を雄ネジとし、スペーサ２のネジ２１を雌ネジとしているが、スペーサ２とネジ体５とが螺合できるのであれば、ネジ体５のネジ５１を雌ネジとし、スペーサ２のネジ２１を雄ネジとしてもよい。特に、第１の実施形態に係るスペーサ２においては、レセプタクル側コネクタ１２の配設位置近傍のレセプタクル側コネクタ１２を基準にして対向する位置における第１のプリント基板１０１の各二ヶ所に捻じ込まれて中央に雌ネジを穿設される六角ボルトとしている。
【００１４】
また、第１の実施形態に係るネジアタッチメント６は、図４（ｄ）に示すように、板状体の一部を屈曲させ、基部６１と延在部６２とが略垂直になるように、加工したものである。
【００１５】
特に、基部６１は、図４（ｂ）に示すように、略矩形状体に対して、ネジ体５の頭部５１ａ及び平座金５２間における首下部５１ｂを一辺から略中央に挿入するための切欠部６４を有する。
【００１６】
切欠部６４は、矩形状体の一辺側に配設されネジ５１の首下部５１ｂの直径以上の幅である挿入部６４ａ、矩形状体の略中央にある首下部５１ｂの直径以上の幅であり平座金５２の直径より幅が狭い支持部６４ｂ、並びに挿入部６４ａ及び支持部６４ｂの境界部分であり首下部５１ｂの直径より幅が狭い狭小部６４ｃからなる。
【００１７】
この狭小部６４ｃにより、ネジ体５の首下部５１ｂはネジアタッチメント６の支持部６４ｂから抜け難く、一度装着するとネジ体５とネジアタッチメント６とは容易に分離することができなくなり、ネジ体５とネジアタッチメント６とを一体に取り扱うことができる。なお、ネジ体５の首下部５１ｂをネジアタッチメント６の支持部６４ｂに容易に挿入させるために、図４（ｂ）に示すように、ネジアタッチメント６の狭小部６４ｃが絞り形状でなされることが好ましい。
【００１８】
また、ネジアタッチメント６の延在部６２は、切欠部６４が形成された辺を除いた対向する二辺から同一の長さで延在され、例えば、図４（ｂ）及び図４（ｃ）に示すように、側面から見た場合に、対向する二つの延在部６２が重複せずに配設されている。
【００１９】
また、延在部６２の長さは、第２のプリント基板１０２の厚み以上とし、特に、第２のプリント基板１０２の厚みとほぼ一致させることで、レセプタクル側コネクタ１２からプラグ側コネクタ１１を取り外す場合に、間隙による軸方向のずれを抑えたうえで、第２のプリント基板１０２におけるプラグ側コネクタ１１の実装面（以下、第２のプリント基板１０２の裏面と称す）に突出部６３を当接させることができるので好ましい。
【００２０】
また、ネジアタッチメント６の突出部６３は、図４に示すように、ネジを緩める左回りの回動方向に延在部６２から突出させているが、この形状に限られるものではなく、例えば、ネジを締める右回りの回動方向に延在部６２から突出させてもよいし、左回り及び右回りの回動方向に延在部６２から突出させてもよい。なお、少なくともネジを緩める左回りの回動方向に突出部６３を配設させることで、第２のプリント基板１０２の裏面下に突出部６３を確実且つ広範囲に潜り込ませることができるので好ましい。
【００２１】
ネジアタッチメント用貫通孔４は、ネジアタッチメント６の延在部６２及び突出部６３の厚みより長い幅であり、突出部６３の長さ以上の長さであり、第２のプリント基板１０２の厚みと同一の深さを有する。すなわち、ネジアタッチメント用貫通孔４は、延在部６２及び突出部６３を挿入することができ、延在部６２に対して所定の自由度（遊び）を有する。このため、ネジ体５を回転させると、延在部６２がネジアタッチメント用貫通孔４の内面に当接するまでネジアタッチメント６が連動して回転し、延在部６２がネジアタッチメント用貫通孔４の内面に当接する状態で、突出部６３の先端が第１のプリント基板１０１の裏面下に潜り込むことになる。
【００２２】
なお、ネジ体５は、頭部５１ａ及び平座金５２間にバネ座金５３を有することで、ネジアタッチメント６の基部６１を、バネ座金５３と頭部５１ａ又は平座金５２との間に挟持させ、ネジ体５とネジアタッチメント６との緩み止めを行なうことが好ましい。
【００２３】
次に、前述した構成に基づく第１の実施形態に係るコネクタの挿抜構造の接続・離反動作について説明する。
まず、接続動作を行なうにあたり、図５に示すように、ネジアタッチメント６の切欠部６４にネジ体５を挿入して、ネジ体５とネジアタッチメント６とを一体の部材とする。なお、図５（ｂ）は、ネジアタッチメント６の基部６１を、ネジ体５の頭部５１ａとバネ座金５３との間に挿入した場合を図示している。
【００２４】
そして、接続動作については、まず、第１のプリント基板１０１に実装されたレセプタクル側コネクタ１２と第２のプリント基板１０２に実装されたプラグ側コネクタ１１とを嵌合させて接続する（図２（ａ）参照）。この場合に、スペーサ２が第２のプリント基板１０２の裏面に当接し、スペーサ２のネジ２１穴が第２のプリント基板１０２に配設されたネジ体用貫通孔３から視認することができる。
【００２５】
そして、ネジ体用貫通孔３にネジ体５の先を挿入し、各ネジアタッチメント用貫通孔４にネジアタッチメント６の左右の突出部６３及び延在部６２を挿入する。なお、第１の実施形態においては、ネジ５１の首下部５１ｂの長さが、ネジアタッチメント６の突出部６３及び延在部６２の長さよりも長いために、ネジ体用貫通孔３にネジ体５の先を挿入し、ある程度、ネジ５１を締め、ネジアタッチメント用貫通孔４の入口に突出部６３を到達させたうえで、ネジアタッチメント用貫通孔４にネジアタッチメント６の突出部６３及び延在部６２を挿入することになる。
【００２６】
そして、ネジ体５のネジ５１を締める方向（右回り）に回動させ（図６（ａ）参照）、スペーサ２のネジ２１にネジ５１を螺着して固定する（図２（ｂ）参照）。
【００２７】
つぎに、第１のプリント基板１０１に実装されたレセプタクル側コネクタ１２から第２のプリント基板１０２に実装されたプラグ側コネクタ１１を分離する動作については、前述した接続動作とは逆の手順で実行される。
【００２８】
まず、ネジ体５のネジ５１を緩める方向（左回り）に回動させ、この回動に連動して、ネジアタッチメント６の延在部６２がネジアタッチメント用貫通孔４の内面に当接するまで、ネジアタッチメント６が回動する（図６（ｂ）参照）。
【００２９】
これは、ネジアタッチメント６が、バネ座金５３とネジ５１の頭部５１ａとの間に基部６１を挟持されているために、ネジ体５に連動してネジアタッチメント６が回動するためである。また、ネジアタッチメント６は、ネジ体５に固着しているわけではないので、ネジアタッチメント６の延在部６２がネジアタッチメント用貫通孔４の内面に当接すると、ネジアタッチメント６は回動できず、ネジ体５のみが引き続き回動することになる。なお、延在部６２がネジアタッチメント用貫通孔４の内面に当接する状態では、突出部６３の先端が、第１のプリント基板１０１の裏面下に潜り込むことになる。
【００３０】
そして、引き続き、ネジ体５のネジ５１を緩める方向（左回り）に回動させて、ネジ体５のネジ５１をスペーサ２のネジ２１から離反するように上昇させる。
【００３１】
この場合に、ネジアタッチメント６の基部６１が、ネジ体５のバネ座金５３に当接し、ネジ５１に固着された平座金５２に支持されることにより、ネジ体５の上昇に伴って、ネジアタッチメント６も上昇することになる。
【００３２】
また、ネジアタッチメント６の突出部６３が、第１のプリント基板１０１の裏面に当接することにより、ネジ体５及びネジアタッチメント６の上昇に伴って、第２のプリント基板１０２も上昇することになる。
【００３３】
そして、プラグ側コネクタ１１の接続ピン１１ａとレセプタクル側コネクタ１２の接続ソケット１２ａとが離反して、第１のプリント基板１０１と第２のプリント基板１０２とが電気的に離反することなる。
【００３４】
ここで、ＢＧＡコネクタ１により接続した二枚のプリント基板１００を分離する場合には、ＢＧＡコネクタ１の接続ピン１１ａの数が多く（例えば、３００ピン程度）、嵌合保持力が強いために、強い抜去力が必要となる。このため、第１の実施形態に係るコネクタの挿抜構造を使用しない場合には、二枚のプリント基板１００を分離する際に、プリント基板１００に対するストレスでプリント基板１００及びＢＧＡコネクタ１間の接合不良を引き起こす恐れがあった。
【００３５】
しかしながら、第１の実施形態に係るコネクタの挿抜構造を使用することで、ネジ体５の回動のみによって、レセプタクル側コネクタ１２からプラグ側コネクタ１１を各接続ピン１１ａを曲げ等の損傷又は破壊させることなく、簡易且つ迅速な作業で確実且つ正確に分離動作を実行できる。
【００３６】
また、高密度のＢＧＡコネクタ１は、隣り合う接続ピン１１ａ間の間隙が狭小のために、ＢＧＡコネクタ１の嵌合及び分離時における対向するプリント基板１００間のなす角に角度条件（ＢＧＡコネクタ１の使用条件）がある。このため、第１の実施形態に係るコネクタの挿抜構造を使用しない場合には、直接、両手でプリント基板１００を掴み二枚のプリント基板１００を分離しようとするとプリント基板１００の一端側に必要以上の強い力が掛かり、弾みにより誤って角度条件を超えてしまい、ＢＧＡコネクタ１の接触部分を破損する恐れがあった。
【００３７】
しかしながら、図７に示すように、第１の実施形態に係るコネクタの挿抜構造を使用して、ＢＧＡコネクタ１の両側に取り付けられたネジ体５を、所定の回動数毎に（一のネジ体５をスペーサ２から離反するように操作される場合に、他のネジ体５に支持される第２のプリント基板１０２の傾斜角度が１０度以内となるように）交互に、緩める方向（左回り）に回動させる。これにより、ＢＧＡコネクタ１の使用条件内でレセプタクル側コネクタ１２からプラグ側コネクタ１１を取り外すことができ、ＢＧＡコネクタ１の接触部分の損傷を防止することができる。
【００３８】
（本発明の第２の実施形態）
図１０（ａ）は第２の実施形態に係るネジアタッチメントの斜視図、図１０（ｂ）は第２の実施形態に係るネジアタッチメントの平面図、図１０（ｃ）は第２の実施形態に係るネジアタッチメントの側面図、図１０（ｄ）は第２の実施形態に係るネジアタッチメントの正面図、図１１（ａ）は座金組込みネジにネジアタッチメントを係合する前の状態を示す斜視図、図１１（ｂ）は座金組込みネジにネジアタッチメントを係合した後の状態を示す斜視図、図１２はネジ体及びネジアタッチメントを第２のプリント基板に挿入する前の状態を示す斜視図、図１３（ａ）はネジ体及びネジアタッチメントを第２のプリント基板に挿入する前の状態を示す側面図、図１３（ｂ）はネジ体及びネジアタッチメントを第２のプリント基板に挿入した後の状態を示す側面図、図１４（ａ）は第２の実施形態に係るコネクタの挿抜構造のネジ体による螺着前の状態を示す斜視図、図１４（ｂ）は第２の実施形態に係るコネクタの挿抜構造のネジ体による螺着前の状態を示す正面図、図１５（ａ）は第２の実施形態に係るコネクタの挿抜構造のネジ体による螺着後の状態を示す斜視図、図１５（ｂ）は第２の実施形態に係るコネクタの挿抜構造のネジ体による螺着後の状態を示す正面図である。図１０乃至図１５において、図１〜図９と同じ符号は、同一または相当部分を示し、その説明を省略する。
【００３９】
第２の実施形態に係るコネクタの挿抜構造は、前述した第１の実施形態に係るコネクタの挿抜構造と同様に、ＢＧＡコネクタ１、スペーサ２、ネジ体用貫通孔３、ネジアタッチメント用貫通孔４及びネジ体５を共通して備え、バネ座金５３を無くし、ネジアタッチメント６の材質及び形状を異にする。
【００４０】
特に、ネジアタッチメント６は、金属製の素材である弾性力を生じる弾性部材で形成される。また、図１０に示すように、ネジアタッチメント用貫通孔４に挿入する前の静止状態で、基部６１の中央で若干捩れている。さらに詳細には、図１０（ｄ）に示すように、基部６１の切欠部６４側の辺が、切欠部６４を基準として、左側が下に傾き、右側が上に傾き、図１０（ｃ）に示すように、延在部６２の先端（突出部６３側）が、根元（基部６１側）に対してネジ５１の軸に対して離間する方向に傾いている。すなわち、対向する延在部６２は、根元（基部６１側）に対して先端（突出部６３側）が広がった末広がりの状態となっている。
【００４１】
なお、この第２の実施形態に係るコネクタの挿抜構造においては、ネジアタッチメント６の材質及び形状を変更するところのみが第１の実施形態と異なるところであり、後述するネジアタッチメント６による作用効果以外は、第１の実施形態と同様の作用効果を奏する。
【００４２】
第２の実施形態においては、ネジアタッチメント６が、弾性部材であり、静止状態で予め捩れた状態であるために、バネ座金５３と同様の作用効果を奏する。すなわち、図１１に示すように、バネ座金５３を省略でき、第１の実施形態と比較して部材点数を減少させることができる。
【００４３】
また、第２のプリント基板１０２に配設されたネジ体用貫通孔３に対するネジアタッチメント用貫通孔４の位置を、ネジ５１の軸に対する突出部６３の位置よりも内側にし、ネジアタッチメント６の対向する延在部６２間の間隙を狭めないとネジアタッチメント用貫通孔４に挿入できない位置関係にすることが好ましい。これにより、ネジアタッチメント６の突出部６３及び延在部６２をネジアタッチメント用貫通孔４に挿入した場合に、ネジアタッチメント６は、元の形状に戻ろうとする弾性力が生じ、対向する延在部６２における相互に逆方向に作用する弾性力により、ネジアタッチメント用貫通孔４の内面に当接することで、ネジアタッチメント６及びネジ体５が、第２のプリント基板１０２に係止される。
【００４４】
次に、前述した構成に基づく第２の実施形態に係るコネクタの挿抜構造の接続動作について説明する。
まず、接続動作を行なうにあたり、図１１に示すように、ネジアタッチメント６の切欠部６４にネジ体５を挿入して、ネジ体５とネジアタッチメント６とを一体の部材とする。なお、第２の実施形態においては、ネジアタッチメント６の基部６１を、ネジ体５の頭部５１ａと平座金５２との間に挿入する。
【００４５】
そして、接続動作については、まず、図１２及び図１３に示すように、第２のプリント基板１０２のネジ体用貫通孔３にネジ体５のネジ５１を挿入し、第２のプリント基板１０２のネジアタッチメント用貫通孔４にネジアタッチメント６の突出部６３及び延在部６２を挿入して、第２のプリント基板１０２にネジ体５及びネジアタッチメント６を装着する。
【００４６】
なお、この場合には、ネジアタッチメント６の対向する延在部６２間の間隙を狭めながらネジアタッチメント用貫通孔４に挿入し、ネジアタッチメント６の弾性力により、第２のプリント基板１０２の裏面からネジアタッチメント６の延在部６２の先端がネジ５１の軸に対して広がった状態で突出する。
【００４７】
このため、第２のプリント基板１０２に対してネジ体５を簡易に保持することができる。特に、第２のプリント基板１０２とネジ体５とはネジアタッチメント６を介して係合しているために、仮に、第２のプリント基板１０２の表裏を反転させた場合であっても、第２のプリント基板１０２からネジ体５が抜け落ちることがなく、第１の実施形態に係るコネクタの挿抜構造と比較して作業性を向上させることができる。
【００４８】
そして、第１のプリント基板１０１に実装されたレセプタクル側コネクタ１２と第２のプリント基板１０２に実装されたプラグ側コネクタ１１とを嵌合させて接続する（図１４及び図１５参照）。
【００４９】
ここで、ＢＧＡコネクタ１は、接続ピン１１ａが３００ピン程度と非常にピン数が多い。このため、二枚のプリント基板１００にそれぞれ実装されたＢＧＡコネクタ１を嵌合して接続する場合に、対応する各接続ピン１１ａと各接続ソケット１２ａとを嵌合するための位置合わせが困難である。特に、プリント基板１００の面積が大きい場合などは、プリント基板１００に対して側方から覗き込みながら実行されることから、位置合わせの作業性が著しく悪いものであった。
【００５０】
しかしながら、第２の実施形態に係るコネクタの挿抜構造においては、ネジ５１の首下部５１ｂの長さを、ＢＧＡコネクタ１の嵌合の深さ（接続ピン１１ａの長さ）よりも長くし、ＢＧＡコネクタ１の嵌合よりも先に、ネジ５１の先をスペーサ２のネジ２１穴に挿入できる構成とする。これにより、第２のプリント基板１０２に対して側方から覗き込みことなく、ネジ５１先によってスペーサ２の位置に当たりを付けることができ、第１の実施形態に係るコネクタの挿抜構造と比較して、位置合わせを容易にし、作業効率を向上させることができる。
【００５１】
なお、以下の接続動作については、前述した第１の実施形態と同様であるので説明を省略する。また、第２の実施形態に係るコネクタの挿抜構造の離反動作についても、前述した第１の実施形態と同様であるので説明を省略する。
【００５２】
（本発明の第３の実施形態）
図１６（ａ）は第３の実施形態に係るネジアタッチメントの斜視図、図１６（ｂ）は第３の実施形態に係るネジアタッチメントの平面図、図１６（ｃ）は第３の実施形態に係るネジアタッチメントの側面図、図１６（ｄ）は第３の実施形態に係るネジアタッチメントの正面図である。図１６において、図１〜図１５と同じ符号は、同一または相当部分を示し、その説明を省略する。
【００５３】
第３の実施形態に係るコネクタの挿抜構造は、前述した第２の実施形態に係るコネクタの挿抜構造と同様に、ＢＧＡコネクタ１、スペーサ２、ネジ体用貫通孔３、ネジアタッチメント用貫通孔４及びネジ体５を共通して備え、ネジアタッチメント６の形状を異にする。
【００５４】
特に、ネジアタッチメント６は、図１６に示すように、ネジアタッチメント用貫通孔４に挿入する前の静止状態で、基部６１の中央で若干捩れている。さらに詳細には、図１６（ｄ）に示すように、基部６１の切欠部６４側の辺が、切欠部６４を基準として、左側が上に傾き、右側が下に傾き、図１６（ｃ）に示すように、延在部６２の先端（突出部６３側）が、根元（基部６１側）に対してネジ５１の軸に接近する方向に傾いている。すなわち、対向する延在部６２は、根元（基部６１側）に対して先端（突出部６３側）が狭まった先細り状態となっている。
【００５５】
なお、この第２の実施形態に係るコネクタの挿抜構造においては、ネジアタッチメント６の形状を変更するところのみが第２の実施形態と異なるところであり、後述するネジアタッチメント６による作用効果以外は、第２の実施形態と同様の作用効果を奏する。
【００５６】
第３の実施形態においては、第２のプリント基板１０２に配設されたネジ体用貫通孔３に対するネジアタッチメント用貫通孔４の位置を、ネジ５１の軸に対する突出部６３の位置よりも内側にし、ネジアタッチメント６の対向する突出部６３の先端間の間隙を狭めないとネジアタッチメント用貫通孔４に挿入できない位置関係にすることが好ましい。これにより、ネジアタッチメント６の突出部６３及び延在部６２をネジアタッチメント用貫通孔４に挿入した場合に、ネジアタッチメント６は、元の形状に戻ろうとする弾性力が生じ、対向する突出部６３における相互に逆方向に作用する弾性力により、突出部６３の先端が第２のプリント基板１０２の裏面に係合することで、ネジアタッチメント６及びネジ体５が、第２のプリント基板１０２に係止される。
【００５７】
したがって、第２の実施形態に係るネジアタッチメント６の延在部６２による、ネジアタッチメント用貫通孔４の内面に当接する傾斜面と比較して、ネジアタッチメント６及びネジ体５を第２のプリント基板１０２に対してより強固に係止させることができる。
【００５８】
［付記］  上記実施形態に関し、更に以下の付記を開示する。
（付記１）  一対のプラグ及びレセプタクルからなるコネクタと、前記プラグ側コネクタ又はレセプタクル側コネクタがそれぞれ実装され、前記プラグ側コネクタ及びレセプタクル側コネクタの嵌合状態で対向する一対のプリント基板と、前記一対のプリント基板のうち一のプリント基板における、前記プラグ側コネクタ又はレセプタクル側コネクタの配設位置近傍の少なくとも二箇所に柱状体が突出して配設され、当該柱状体にネジが形成されるスペーサと、前記一対のプリント基板のうち他のプリント基板における、前記スペーサに対応する位置に配設されるネジ体用貫通孔と、前記他のプリント基板における、前記各ネジ体用貫通孔近傍の少なくとも二箇所に配設されるネジアタッチメント用貫通孔と、ネジに平座金が支持される座金組込ネジであり、前記ネジ体用貫通孔を介して、前記スペーサのネジに螺合するネジ体と、前記ネジ体の頭部及び平座金間に遊嵌される基部、当該基部から前記ネジ体の軸方向に延在する延在部、並びに当該延在部から前記基部に略平行に突出する突出部を有し、前記プラグ側コネクタ及びレセプタクル側コネクタの嵌合状態で当該延在部の一部が前記ネジアタッチメント用貫通孔に挿設されるネジアタッチメントと、を備え、前記ネジアタッチメント用貫通孔に挿設される延在部の厚みが前記ネジアタッチメント用貫通孔の幅より狭いことにより、前記レセプタクル側コネクタから前記プラグ側コネクタを取り外す場合に、前記ネジ体の回動に連動して、前記突出部が前記他のプリント基板のコネクタが実装された面に当接され、前記一のプリント基板に対して前記他のプリント基板及びネジ体が一体に離反されることを特徴とするコネクタの挿抜構造。
【００５９】
（付記２）  前記ネジアタッチメントの基部が、板状体であり、前記ネジ体の頭部及び平座金間における首下部を当該板状体の一辺から略中央に挿入するための切欠部を有し、前記切欠部が、前記板状体の一辺側に配設され前記首下部の直径以上の幅である挿入部、前記板状体の略中央にある前記首下部の直径以上の幅であり前記平座金の直径より幅が狭い支持部、並びに当該挿入部及び支持部の境界部分であり前記首下部の直径より幅が狭い狭小部、からなることを特徴とするコネクタの挿抜構造。
【００６０】
（付記３）  前記ネジ体が、頭部及び平座金間にバネ座金を有し、前記ネジアタッチメントの基部が、前記バネ座金と頭部又は平座金との間に挟持されることを特徴とするコネクタの挿抜構造。
【００６１】
（付記４）  前記ネジアタッチメントが、弾性部材からなり、前記ネジアタッチメントの延在部が、前記基部の対向する二辺に配設され、当該対向する延在部における相互に逆方向に作用する弾性力により、前記ネジアタッチメント用貫通孔の内面に当接することで、前記ネジアタッチメント及びネジ体が、前記他のプリント基板に係止されることを特徴とするコネクタの挿抜構造。
【００６２】
（付記５）  前記ネジアタッチメントが、弾性部材からなり、前記ネジアタッチメントの延在部が、前記基部の対向する二辺に配設され、前記対向する突起部における相互に逆方向に作用する弾性力により、前記突出部の先端が前記他のプリント基板の裏面に係合することで、前記ネジアタッチメント及びネジ体が、前記他のプリント基板に係止されることを特徴とするコネクタの挿抜構造。
【００６３】
（付記６）  前記複数のネジ体が、一のネジ体を前記スペーサから離反するように操作される場合に、他のネジ体に支持される前記他のプリント基板の傾斜角度が１０度以内で前記一のプリント基板からの離反を保持することを特徴とするコネクタの挿抜構造。
【図面の簡単な説明】
【００６４】
【図１】（ａ）は第１の実施形態に係るコネクタの挿抜構造の接続状態を示す平面図であり、（ｂ）は第１の実施形態に係るコネクタの挿抜構造の接続状態を示す正面図である。
【図２】（ａ）は第１の実施形態に係るコネクタの挿抜構造のネジ体による螺着前の状態を示す側面図であり、（ｂ）は第１の実施形態に係るコネクタの挿抜構造のネジ体による螺着後の状態を示す側面図である。
【図３】図１に示すコネクタの挿抜構造の分解斜視図である。
【図４】（ａ）は図１に示すネジアタッチメントの斜視図であり、（ｂ）は図１に示すネジアタッチメントの平面図であり、（ｃ）は図１に示すネジアタッチメントの側面図であり、（ｄ）は図１に示すネジアタッチメントの正面図である。
【図５】（ａ）は座金組込みネジにネジアタッチメントを係合する前の状態を示す斜視図であり、（ｂ）は座金組込みネジにネジアタッチメントを係合した後の状態を示す斜視図である。
【図６】（ａ）は第１の実施形態に係るコネクタの挿抜構造の接続動作説明図であり、（ｂ）は第１の実施形態に係るコネクタの挿抜構造の分離動作説明図である。
【図７】ＢＧＡコネクタの角度条件を説明するための説明図である。
【図８】（ａ）はプラグ側コネクタにおけるレセプタクル側コネクタとの接触面を示した平面図であり、（ｂ）は図８（ａ）に示すプラグ側コネクタの正面図であり、（ｃ）は図８（ａ）に示すプラグ側コネクタの側面図である。
【図９】（ａ）はレセプタクル側コネクタにおけるプラグ側コネクタとの接触面を示した平面図であり、（ｂ）は図９（ａ）に示すレセプタクル側コネクタの正面図であり、（ｃ）は図９（ａ）に示すレセプタクル側コネクタの側面図である。
【図１０】（ａ）は第２の実施形態に係るネジアタッチメントの斜視図であり、（ｂ）は第２の実施形態に係るネジアタッチメントの平面図であり、（ｃ）は第２の実施形態に係るネジアタッチメントの側面図であり、（ｄ）は第２の実施形態に係るネジアタッチメントの正面図である。
【図１１】（ａ）は座金組込みネジにネジアタッチメントを係合する前の状態を示す斜視図であり、（ｂ）は座金組込みネジにネジアタッチメントを係合した後の状態を示す斜視図である。
【図１２】ネジ体及びネジアタッチメントを第２のプリント基板に挿入する前の状態を示す斜視図である
【図１３】（ａ）はネジ体及びネジアタッチメントを第２のプリント基板に挿入する前の状態を示す側面図であり、（ｂ）はネジ体及びネジアタッチメントを第２のプリント基板に挿入した後の状態を示す側面図である。
【図１４】（ａ）は第２の実施形態に係るコネクタの挿抜構造のネジ体による螺着前の状態を示す斜視図であり、（ｂ）は第２の実施形態に係るコネクタの挿抜構造のネジ体による螺着前の状態を示す正面図である。
【図１５】（ａ）は第２の実施形態に係るコネクタの挿抜構造のネジ体による螺着後の状態を示す斜視図であり、（ｂ）は第２の実施形態に係るコネクタの挿抜構造のネジ体による螺着後の状態を示す正面図である。
【図１６】（ａ）は第３の実施形態に係るネジアタッチメントの斜視図であり、図１６（ｂ）は第３の実施形態に係るネジアタッチメントの平面図であり、図１６（ｃ）は第３の実施形態に係るネジアタッチメントの側面図であり、図１６（ｄ）は第３の実施形態に係るネジアタッチメントの正面図である。
【符号の説明】
【００６５】
１      ＢＧＡコネクタ
２      スペーサ
３      ネジ体用貫通孔
４      ネジアタッチメント用貫通孔
５      ネジ体
６      ネジアタッチメント
１１    プラグ側コネクタ
１１ａ  接続ピン
１２    レセプタクル側コネクタ
１２ａ  接続ソケット
２１    ネジ
５１    ネジ
５１ａ  頭部
５１ｂ  首下部
５２    平座金
５３    バネ座金
６１    基部
６２    延在部
６３    突出部
６４    切欠部
６４ａ  挿入部
６４ｂ  支持部
６４ｃ  狭小部
１００  プリント基板
１０１  第１のプリント基板
１０２  第２のプリント基板
【図１】
2009193918.tif 000003
【図２】
2009193918.tif 000004
【図３】
2009193918.tif 000005
【図４】
2009193918.tif 000006
【図５】
2009193918.tif 000007
【図６】
2009193918.tif 000008
【図７】
2009193918.tif 000009
【図８】
2009193918.tif 000010
【図９】
2009193918.tif 000011
【図１０】
2009193918.tif 000012
【図１１】
2009193918.tif 000013
【図１２】
2009193918.tif 000014
【図１３】
2009193918.tif 000015
【図１４】
2009193918.tif 000016
【図１５】
2009193918.tif 000017
【図１６】
2009193918.tif 000018